(57)【要約】【課題】  開度を知ることが可能なキャップ操作式補修弁を提供する。【解決手段】  本キャップ操作式補修弁では、ウォーム軸は、ギアボックスに収容されるウォームホイル軸に対して直管路の周方向にずれた位置にて回転可能に支持されているので、ウォームホイル軸の先端の同開度表示回転体は、キャップの設置位置を避けた位置に配置され、同位置にて概ね９０度の回転範囲で回動することになる。ウォーム軸の軸芯方向、言い換えると地表側から見て、概ね９０度の回転範囲で回動するにあたり、当該開度表示回転体は一端にて「開」を表示し、他端にて「閉」を表示することになり、地表側から開度の状態を視認できる。【選択図】  図１
2018017358.tif 000002
【特許請求の範囲】
【請求項１】
両方の開口端にフランジを形成されて直管路を形成する弁箱と、
同弁箱の直管路に回転可能に介在され、その回転軸が同直管路と直交するウォームホイル軸に連結され、同直管路を連通あるいは閉塞する弁体と、
前記ウォームホイル軸と噛合し、前記直管路の管路方向に向けて配設されるウォーム軸を有するギアボックスと、
前記ウォーム軸に連結されて前記直管路の管路方向に配向したキャップとを有するキャップ操作式補修弁であって、
前記ギアボックスは、前記弁箱の側面に連結されて前記弁箱から前記直管路の径方向に突き出るように形成されるとともに、
前記ウォーム軸は、同ギアボックスに収容される前記ウォームホイル軸に対して前記直管路の周方向にずれた位置にて回転可能に支持されて前記ウォームホイル軸に噛合しており、
前記ウォームホイル軸は、前記ギアボックスを径方向外側に向けて貫通して突き出ており、突き出た同ウォームホイル軸の先端には開度表示回転体が取り付けられ、
同開度表示回転体は、前記キャップの設置位置を避けつつ前記ウォームホイル軸の軸芯方向から見て、概ね９０度の回転範囲で一端にて「開」を表示し、他端にて「閉」を表示することを特徴とするキャップ操作式補修弁。
【請求項２】
前記開度表示回転体は、前記ウォームホイル軸に連結されて径方向に延びる目盛り針を有し、同目盛り針は、前記ウォーム軸の軸芯方向に対してプラス４５度の回転位置からマイナス４５度の回転位置までの範囲で弁体と共に回転し、
さらに、前記ウォームホイル軸と前記キャップとの間に配置されて前記直管路と直交する平面と平行に配置された目盛板であって、同目盛板には前記目盛り針の先端位置に対応して前記弁体の開度を表示する表記を表示してあることを特徴とする請求項１に記載のキャップ操作式補修弁。
【請求項３】
前記目盛板には、前記目盛り針の可動範囲に対応して縁を形成してあり、
前記目盛り針は同縁に沿って移動すると共に目盛り針の先端を目盛板の側に屈曲してあり、針先が目盛板よりも前記キャップの側に位置して表示を行うことを特徴とする請求項２に記載のキャップ操作式補修弁。
【請求項４】
前記目盛板には、前記目盛り針の可動範囲に対応して開口窓を形成してあり、
前記目盛り針の針先は、同開口窓内を移動して表示を行うことを特徴とする請求項２に記載のキャップ操作式補修弁。
【請求項５】
前記開度表示回転体は、前記ウォームホイル軸の全部または一部を覆う円筒体であって前記ウォームホイル軸に連結することで、同ウォームホイル軸の回転と共に円筒体が所定位置で回転し、円筒の外側表面に目盛の表記を表示していることを特徴とする請求項１に記載のキャップ操作式補修弁。
【請求項６】
前記開度表示回転体は、互いに直交する二面を有して前記ウォームホイル軸に連結され、同ウォームホイル軸の回転範囲の一端にて前記直交する一面が前記直管路と直交する平面と平行となり、同ウォームホイル軸の回転範囲の他端にて前記直交する他方の面が前記直管路と直交する平面と平行となり、前記キャップが配置される側から見たときに直交する面には開度の表記が表示されていることを特徴とする請求項１に記載のキャップ操作式補修弁。
【請求項７】
前記弁体と前記弁箱は、ボール式の弁体で形成されていることを特徴とする請求項１〜請求項６のいずれかに記載のキャップ操作式補修弁。
【発明の詳細な説明】
【技術分野】
【０００１】
本発明は、キャップ操作式補修弁に関する。
【背景技術】
【０００２】
補修弁は、短直管路の両端にフランジを形成され、水平方向に埋設された水道管路から垂直上方方向に分岐する消火栓や空気弁の間に配設される。通常時は短直管路は連通しているが、消火栓や空気弁の補修にあたり水道管路からの水を一時的に遮断するために弁体を回転させて短直管路を閉塞する。弁体はほぼ９０度の範囲で回動して、短直管路の連通および遮断を行う。
【０００３】
弁体を回転させる構造として、弁体の回転軸をそのまま補修弁から外方に突出させ、端部に対して、回転軸と直交するレバーを取り付けるものがある。レバーは９０度の範囲で回転するため、補修弁を上方から見たときに、一方に４５度回転し、手前側に引きながら他方に４５度回転させるように、同レバーを取り付ける。
また、当該補修弁の一部であって、レバーが回動する一方の側には、連通する意味を表す「Ｏ」を表示し、他方の側には閉塞を表す「Ｓ」を表示する。レバーがいずれかの側に倒されたとき、「Ｏ」あるいは「Ｓ」の表示に近い位置で停止するから、補修弁が開いている状態なのか閉じている状態なのかが分かる。
【０００４】
一方、レバー式は構成自体が簡易であるものの、作業者が上方から同レバーを把持して操作しなければならず、補修弁と地表までの距離が遠いときにはレバー式は使えない。その代わりに、ギアボックスを設置して回転可能なキャップを配置し、同キャップの回転を前記回転軸に伝えて回転させるキャップ操作式の補修弁も利用されている。
キャップ操作式であれば、補修弁が深い位置に配置されている場合でも、地表からハンドルをキャップに差し込んで回転させることができる。
【先行技術文献】
【非特許文献】
【０００５】
【非特許文献１】水道用補修弁  ＪＷＷＡ  Ｂ  １２６  日本水道協会  公務常設調査委員会  平成２５年１１月２６日改正
【発明の概要】
【発明が解決しようとする課題】
【０００６】
上述したキャップ操作式の場合、レバー式のように単純に９０度だけ回転するのではなく、少なくとも数回転（例えば、２．５回転）はするので、外観上、開度は分からなかった。すなわち、一度はハンドルを装着して開の方向か閉の方向かに回してみて、回らなければ開あるいは閉の状態になっていることを確認できた。従って、勘違いも生じ、閉じていると思って消火栓を外そうとしたら大量の水が噴出するということもしばしば起こる。
【０００７】
ところで、水道管路を連通および閉塞する弁として仕切弁が利用されており、同仕切弁にはキャップ操作式のものがある。この場合、作業者は地表側からハンドルをキャップに差し込んでキャップを所定方向に回転させる。特に、仕切弁の場合は１０回転ほどさせるのが通常であり、この仕切弁においても弁体の開度を知りたいという要望はある。仕切弁の場合は、水道管路の上方に消火栓や空気弁などは存在せず、単にキャップ部分が、弁箱から突き出ているだけであるため、キャップの回転軸の周りに、同回転軸の回転を１／１０以下に減速する減速ギアを設けて弁体の開度を表示するものが知られている。
【０００８】
しかし、補修弁の場合は、その直上に消火栓や空気弁などが配置されるので、仕切弁のようにキャップの回転軸の周りに減速ギアを設置することはできない。
本発明は、キャップ操作式であっても開度を知ることが可能なキャップ操作式補修弁を提供する。
【課題を解決するための手段】
【０００９】
本発明は、両方の開口端にフランジを形成されて直管路を形成する弁箱と、同弁箱の直管路に回転可能に介在され、その回転軸が同直管路と直交するウォームホイル軸に連結され、同直管路を連通あるいは閉塞する弁体と、前記ウォームホイル軸と噛合し、前記直管路の管路方向に向けて配設されるウォーム軸を有するギアボックスと、前記ウォーム軸に連結されて前記直管路の管路方向に配向したキャップとを有するキャップ操作式補修弁であって、前記ギアボックスは、前記弁箱の側面に連結されて前記弁箱から前記直管路の径方向に突き出るように形成されるとともに、前記ウォーム軸は、同ギアボックスに収容される前記ウォームホイル軸に対して前記直管路の周方向にずれた位置にて回転可能に支持されて前記ウォームホイル軸に噛合しており、前記ウォームホイル軸は、前記ギアボックスを径方向外側に向けて貫通して突き出ており、突き出た同ウォームホイル軸の先端には開度表示回転体が取り付けられ、同開度表示回転体は、前記キャップの設置位置を避けつつ前記ウォーム軸の軸芯方向から見て、概ね９０度の回転範囲で一端にて「開」を表示し、他端にて「閉」を表示した構成としてある。
【００１０】
前記構成において、本キャップ操作式補修弁は、両方の開口端にフランジを形成されて直管路を形成する弁箱と、同弁箱の直管路に回転可能に介在された弁体とを有しており、弁体を回転させることで同直管路を連通あるいは閉塞する。同直管路と直交する方向に配置されたウォームホイル軸の回転軸が前記弁体に連結されており、ウォームホイル軸を回転させると弁体を回転させることができる。
【００１１】
ギアボックスのウォーム軸は、前記直管路の管路方向に向けて配設され、前記ウォームホイル軸と噛合しているので、同ウォーム軸を回転させることで、前記ウォームホイル軸を任意の方向に回転させることができる。前記ウォーム軸には前記直管路の管路方向に配向したキャップが連結されているので、いわゆる地表側からハンドルをキャップに差し込んで同キャップを介して前記ウォーム軸を回転させることができる。
【００１２】
ところで、前記ギアボックスは、前記弁箱の側面に連結されて前記弁箱から前記直管路の径方向に突き出るように形成されるとともに、前記ウォーム軸は、同ギアボックスに収容される前記ウォームホイル軸に対して前記直管路の周方向にずれた位置にて回転可能に支持されて前記ウォームホイル軸に噛合している。また、前記ウォームホイル軸は、前記ギアボックスを径方向外側に向けて貫通して突き出ており、突き出た同ウォームホイル軸の先端には開度表示回転体が取り付けられている。前記ウォーム軸は、同ギアボックスに収容される前記ウォームホイル軸に対して前記直管路の周方向にずれた位置にて回転可能に支持されているので、ウォームホイル軸の先端の同開度表示回転体は、前記キャップの設置位置を避けた位置に配置され、同位置にて概ね９０度の回転範囲で回動することになる。
【００１３】
さらに、前記ウォーム軸の軸芯方向、言い換えると地表側から見て、概ね９０度の回転範囲で回動するにあたり、当該開度表示回転体は一端にて「開」を表示し、他端にて「閉」を表示することになり、地表側から開度の状態を視認できることになる。
【発明の効果】
【００１４】
本発明のキャップ操作式補修弁によれば、キャップ操作式であっても、弁体の開度を表示することができる。
【図面の簡単な説明】
【００１５】
【図１】第１の実施形態にかかるキャップ操作式補修弁の平面図である。
【図２】同補修弁の正面図である。
【図３】同補修弁の右側面図である。
【図４】同補修弁の一部破断斜視図である。
【図５】第２の実施形態にかかるキャップ操作式補修弁の平面図である。
【図６】同補修弁の正面図である。
【図７】同補修弁の右側面図である。
【図８】目盛り針の側面図である。
【図９】目盛り針の正面図である。
【図１０】第３の実施形態にかかるキャップ操作式補修弁の平面図である。
【図１１】同補修弁の正面図である。
【図１２】同補修弁の右側面図である。
【図１３】開度表示回転体の断面図である。
【図１４】開度表示回転体の平面図である。
【図１５】開度表示回転体の平面図である。
【図１６】第４の実施形態にかかる開度表示回転体の斜視図である。
【図１７】同開度表示回転体の一表示状態の斜視図である。
【図１８】同開度表示回転体の他の表示状態の斜視図である。
【発明を実施するための形態】
【００１６】
（第１の実施形態）
以下、図面にもとづいて本発明の実施形態を説明する。
図１は、本発明の一実施形態にかかるキャップ操作式補修弁を平面図により示しており、図２は、同補修弁を正面図により示しており、図３は、同補修弁を右側面図により示しており、図４は、同補修弁の一部破断斜視図により示している。
図において、弁箱１０は、上部部品１１と、下部部品１２とから構成されている。上部部品１１は、上下方向に貫通する筒部１１ａと、同筒部１１ａの上端から径方向に拡径するフランジ１１ｂとから形成されている。筒部１１ａは下方側の開口が上方側の開口よりも大きくなっており、後述する弁体（ボール弁体）２０を下方から収容できるようになっている。また、側面にはウォームホイル軸３０を挿入するために筒状に突き出る軸支筒部１１ｃを備えている。
【００１７】
下部部品１２は、フランジ１１ｂとほぼ同形状のリング状に形成されており、前記筒部１１ａの下端外周にて外方に突出するように形成されている固定片１１ｄに対して下方側からボルト止め固定されている。固定片１１ｄは四カ所形成され、下部部品１２と筒部１１ａは４カ所にてボルト止め固定されている。なお、下部部品１２はフランジとして図示しない水道管路のフランジに対してボルト止め固定される。
【００１８】
下部部品１２の開口は前記筒部１１ａの上方側の開口とほぼ同径であり、前記弁体２０の直径よりも小さい。これにより、弁体２０は筒部１１ａ内に収容されたときに、内部で回転可能に支持されるが、外部に出ることができなくなる。なお、筒部１１ａの開口内側と、下部部品１２の開口内側にはシール部材としての弾性体から形成された弁座１３ａ，１３ｂが介在されている。
このように、弁箱１０は、両方の開口端にフランジを形成されて直管路を形成している。
【００１９】
弁体２０は、概ね球体状であるが、芯をくり抜いたような管路を形成している。この管路の開口径は、前記下部部品１２や前記筒部１１ａの開口とほぼ同径である。弁箱１０と弁体２０とにより、いわゆるボール弁を構成している。従って、弁体２０は弁箱１０内でほぼ９０度の範囲で回動し、弁体２０の管路の開口が前記下部部品１２や前記筒部１１ａの開口と一致する状態では当該ボール弁は管路を連通させており、弁体２０が９０度回転して弁体２０の管路が筒部１１ａの開口軸と直交する状態では当該ボール弁は管路を閉塞することになる。
【００２０】
弁体２０は、９０度の範囲で回転して管路の開口方向を変更する必要があり、この回転軸芯となる弁体２０の側面には前記ウォームホイル軸３０を挿入して係合可能となっている。ウォームホイル軸３０は筒部１１ａから側方に突出する軸支筒部１１ｃから筒部１１ａ内に挿入されており、その先端が弁体２０の側面に対して係合する。従って、このウォームホイル軸３０を回転させると弁体２０が回転する。なお、ウォームホイル軸３０にはＯリングを装着し、軸支筒部１１ｃと水密的に回転可能に支持されている。
【００２１】
以上のように、弁体２０は弁箱１０の直管路に回転可能に介在されており、その回転軸が同直管路と直交するウォームホイル軸３０に連結されている。そして、同ウォームホイル軸３０の回転に伴って弁体２０は回転し、同直管路を連通あるいは閉塞する。
【００２２】
ウォームホイル軸３０は、軸支筒部１１ｃから突き出ており、突き出ている部分をほぼ収容するようにギアボックス４０が前記軸支筒部１１ｃに対してボルト止め固定されている。ギアボックス４０内部では、ウォームホイル軸３０の周面にはウォームギアと噛合可能なギア溝３１が形成してあり、同ギア溝３１と噛合するウォーム軸４１も収容されている。ウォームホイル軸３０が筒部１１ａと直交して側方に突き出るよう軸支筒部１１ｃに支持されており、その周面のギア溝３１と噛合するようにウォーム軸４１が支持されているので、このウォーム軸４１は、弁箱１０が形成する直管路の管路方向に向けて配設されることになる。ウォーム軸４１の上端にはキャップ５０が連結され、同キャップ５０の下端には、周縁に広がる鍔５１が形成されている。キャップ５０は、通常のキャップ操作式の弁で使用されるものであり、鍔５１の上方に四角柱５２が延設されるように形成され、図示しない四角の凹部を形成したハンドルを上方から押しつけて係合させる。
【００２３】
このように、ギアボックス４０内では、ウォームホイル軸３０とウォーム軸４１とが噛合する状態で保持され、かつ、前記ウォーム軸４１は、筒部１１ａの直管路の管路方向に向けて配設された状態で支持されている。また、ウォーム軸４１における前記直管路の管路方向の先端に配向してキャップが連結されている。以上の構成によりキャップ操作式補修弁が構成されている。
【００２４】
上述したように、ギアボックス４０は、弁箱１０の側面に連結され、弁箱１０から直管路の径方向に突き出るように形成されている。そして、ウォーム軸４１は、同ギアボックス４０に収容されるウォームホイル軸３０に対して噛合するので、自ずから筒部１１ａの直管路に対して周方向にずれた位置で回転可能に支持されることになる。
ウォームホイル軸３０における弁体２０と係合する側と反対の側では、先端が細くなり、ギアボックス４０を貫通して突き出ている。突き出た部位には目盛り針６１が連結されている。目盛り針６１はウォームホイル軸３０の先端に連結されており、時計の針のように、軸芯から径方向に突き出ている。図３は、この目盛り針６１の取り付け角度が分かるように表示している。時計の短針で表現すれば、１０時３０分の位置から１時３０分の位置までの９０度の範囲が可動範囲である。図３では目盛り針６１は１０時３０分の位置にあり、このときウォームホイル軸３０が係合する弁体２０は連通口を上下方向に向けた状態であり、前記直管路は連通した状態である。一方、図３に二点鎖線で示す目盛り針６１は１時３０分の位置にあるが、このとき、ウォームホイル軸３０が係合する弁体２０は連通口を９０度回転された状態となるため、前記直管路は閉塞した状態である。
【００２５】
この目盛り針６１の先端は頂部を有する山形に形成され、山形部分から少しだけ目盛り針６１の回転軸芯側に近づいたところで９０度だけ弁箱１０の側に向けて折り曲げられている。折り曲げられた先端部分は五角形の針先６１ａとなり、目盛り針６１が１２時の位置にあると仮定すると、この針先６１ａの平面は筒部１１ａの直管路と直交する方向であって、設置時にはほぼ水平面となる方向である。これにより、設置状態で作業者が上から見下ろすと五角形の針先６１ａが水平に近い状態で位置するので、非常に視認しやすい。なお、目盛り針６１は、１０時３０分の位置か、１時３０分の位置に保持されるのが状態であるから、針先６１ａは水平面に対して４５度傾斜した状態となるが、上方からは十分に視認可能である。
【００２６】
また、ギアボックス４０はウォーム軸４１が抜け出ないようにして挿入する必要があるから、上面部分を蓋体４２で覆蓋されている。蓋体４２はほぼ水平面と平行な状態でギアボックス４０を覆蓋し、ボルト止め固定されている。このボルト止め固定部分を利用し、水平面と平行な目盛板６２が固定されている。目盛板６２には、目盛り針６１の回動範囲と平行であって、同目盛り針６１に干渉しない位置に縁６２ａが位置するように形成されており、この縁６２ａには目盛り針６１の移動範囲に沿って弁体２０の開度を表示する表記が記載されている。
【００２７】
図１はこのキャップ操作式補修弁の平面図であるから、水平方向に配置される目盛板６２を真上から視認できる。目盛り針６１が１０時３０分の位置にあるとき、針先６１ａが示す位置には開度の表記として「Ｏ」（開の意味）が印刷してある。また、目盛り針６１が１時３０分の位置にあるとき、針先６１ａが示す位置には開度の表記として「Ｓ」（閉の意味）が印刷してある。
【００２８】
このように、ウォームホイル軸３０は、ギアボックス４０を径方向外側に向けて貫通して突き出ており、突き出た同ウォームホイル軸３０の先端には開度表示回転体としての目盛り針６１が取り付けられている。なお、開度表示回転体は目盛り針６１だけでなく静止している目盛板６２も含む構造体として把握することができる。そして、開度表示回転体は、キャップ５０の設置位置を避けつつウォームホイル軸の軸芯方向から見て、概ね９０度の回転範囲で一端にて「開」を表示し、他端にて「閉」を表示している。
【００２９】
開度表示回転体は、ウォームホイル軸３０に連結されて径方向に延びる目盛り針６１を有しており、同目盛り針６１は、前記ウォーム軸の軸芯方向を１２時の方向としたとき、これに対してプラス４５度の回転位置（１０時３０分）からマイナス４５度の回転位置（１時３０分）までの範囲で弁体２０と共に回転する。さらに、開度表示回転体の一部としての目盛板６２は、ウォームホイル軸３０とキャップ５０との間に配置されており、直管路と直交する平面と平行に配置されている。この目盛板６２には目盛り針６１の先端位置である針先６１ａに対応して弁体２０の開度を表示する表記を表示してある。
この実施形態では、目盛板６２には、目盛り針６１の可動範囲に対応して縁６２ａを形成してあり、目盛り針６１は同縁６２ａに沿って移動すると共に目盛り針６１の先端を目盛板６２の側に屈曲してあり、針先６１ａが目盛板６２よりもキャップ５０の側に位置して表示を行なっている。
【００３０】
ウォームホイル軸３０の先端位置は、必然的に鍔５１を有するキャップ５０の下方であるが、ウォーム軸４１がウォームホイル軸３０の側面に噛合する関係上、キャップ５０はウォームホイル軸３０から周方向に少しだけずれているため、上方から見下ろしたときにかろうじて視認できる位置になる。また、図２に示すように、ギアボックス４０から突き出た部位で径方向に延設されるので、ウォームホイル軸３０を不必要に長くして装置全体を大きくしてしまうこともない。
【００３１】
（第２の実施形態）
図５は、第２の実施形態にかかるキャップ操作式補修弁を平面図により示しており、図６は、同補修弁を正面図により示しており、図７は、同補修弁を右側面図により示している。また、図８は、目盛り針を側面図により示しており、図９は、目盛り針を正面図により示している。
本実施形態は、前記開度表示回転体の構成が第１の実施形態と相違し、第１の実施形態と共通する構成については説明を省略する。
【００３２】
前記目盛り針６１が概ね板状の部材を折り曲げて形成されていたのに対し、本実施形態の目盛り針１６１は、５ｍｍ〜１０ｍｍ程度の厚みを有しており、ウォームホイル軸３０の先端を貫通せしめて固定する基部１６１ｂと、同基部１６１ｂから径方向に延設されるとともに先端側が徐々に幅狭となる針部１６１ｃとが一体的に形成されている。なお、先端を針先１６１ａと呼ぶ。
【００３３】
この厚みのある目盛り針１６１は、図７に示すように、針部１６１ｃが１０時３０分の位置から１時３０分の位置までの範囲で回動する。針先１６１ａは、図９に示すように、断面視すれば円柱状となり、周面は円柱側面となる。この部位を例えば赤色に塗装すれば、目盛り針１６１が９０度の範囲で回動したとき、上方から見下ろしたときに円筒面の半分を上方から見下ろすことができ、視認性がよい。
【００３４】
一方、目盛板１６２については、目盛り針１６１の可動範囲を避けるようにスリット１６２ｂを形成してある。縁６２ａではなく、スリット１６２ｂとして目盛り針１６１の可動範囲をすっぽりと収めている。スリットの長手方向の両端には、弁体２０の開度を示す「Ｏ」（開）と「Ｓ」（閉）の表記がしてある。
針先１６１ａは、目盛り針１６１が１０時３０分の状態にあるときに、スリット１６２ｂ内で最も「Ｏ」の表記に近い位置にあり、弁体２０は連通状態となっている。また、ウォームホイル軸３０を９０度回転させ、目盛り針１６１が１時３０分の状態になると、針先１６１ａはスリット１６２ｂ内で最も「Ｓ」の表記に近い位置に移動し、弁体２０は閉塞状態となる。
【００３５】
このように、目盛板１６２には、目盛り針１６１における針部１６１ｃの可動範囲に対応して開口窓となるスリット１６２ｂを形成してあり、目盛り針１６１の針先１６１ａは、同スリット（開口窓）１６２ｂ内を移動して表示を行なっている。
【００３６】
（第３の実施形態）
図１０は、第３の実施形態にかかるキャップ操作式補修弁を平面図により示しており、図１１は、同補修弁を正面図により示しており、図１２は、同補修弁を右側面図により示している。また、図１３は、開度表示回転体を断面図により示しており、図１４は、開度表示回転体を平面図により示しており、図１５は、開度表示回転体の表示が一度に視認できる角度から見た状態を平面図により示している。
本実施形態は、前記開度表示回転体の構成が第１および第２の実施形態と相違し、第１の実施形態と共通する構成については説明を省略する。
【００３７】
第１および第２の実施形態では、開度表示回転体は、ウォームホイル軸３０に連結されて回転する部材はいわゆる時計の針状のものであるが、本実施形態では、ウォームホイル軸３０の全部または一部を覆う円筒体２６１であって、同ウォームホイル軸３０に連結することで、同ウォームホイル軸３０の回転と共に当該円筒体２６１の表面も所定位置で回転する。この円筒体２６１の外側表面に目盛の表記を表示してある。図１５は、この表記が一度に視認できる角度から同円筒体２６１を見た状態である。ウォームホイル軸３０は９０度回転するので、円筒体２６１の周面の９０度の範囲に、赤色の塗装範囲が幅狭から幅広へと徐々に変化する模様を塗装しつつ、さらに、最も幅広となる部位に隣接するように「Ｏ」（開）の文字を表示し、最も幅狭となる部位に隣接するように「Ｓ」（閉）の文字を表示してある。そして、「Ｏ」の文字の中心から「Ｓ」の文字の中心までがほぼ９０度となるようにしてある。
【００３８】
図１０は、この弁体２０が連通状態となったときの平面視であり、このときは円筒体２６１における周面の「Ｏ」の文字が１２時の位置となっている。上方から見下ろしたとき、「Ｏ」の文字が１２時の位置にあるのではっきりと視認できる。このとき、「Ｓ」の文字は９時の位置にあるため、上方から見下ろしたとき、「Ｓ」の文字はほぼ見えない。そして、ウォームホイル軸３０を回転させていき、９０度回転させた時点では、図１４に示すように、弁体２０は閉塞し、９時の位置にあった「Ｓ」の文字が１２時の位置に来るので、上方からはっきりと視認できるようになる。また、「Ｏ」の文字は３時の位置に来るので、上方から見下ろしたとき、「Ｏ」の文字はほぼ見えない。
【００３９】
円筒体２６１は、完全な円筒面を備えていても良いし、本実施形態のように、表示に関わらない部分には円筒面を備えないようにしても良い。この意味で、ウォームホイル軸３０の全部または一部を覆う円筒体とすればよい。また、円筒面は一例に過ぎず、多角形筒体面としてもよい。
【００４０】
（第４の実施形態）
本発明は、上述した各実施形態に限定されるものでないことはいうまでもない。
図１６は、第４の実施形態にかかる開度表示回転体を斜視図により示しており、図１７は、同開度表示回転体の一表示状態を斜視図により示しており、図１８は、同開度表示回転体の他の表示状態を斜視図により示している。
この開度表示回転体３６１は、互いに直交する二面３６１ａ，３６１ｂを有しており、ウォームホイル軸３０に連結されている。同ウォームホイル軸３０の回転範囲の一端にて直交する一面３６１ａが直管路と直交する平面と平行となり、同ウォームホイル軸３０の回転範囲の他端にて直交する他方の面３６１ｂが直管路と直交する平面と平行となる。このようにすることで、キャップ５０が配置される側から見たときに、弁体２０の開度に応じて直交する面３６１ａ，３６１ｂのいずれかが水平面と平行となり他方が水平面と直交することになるので、上方から見下ろしたときに弁体２０の開度を表す面だけが見えることになる。
【００４１】
上述した実施形態では、弁体２０と弁箱１０は、ボール式の弁体で形成されている。しかし、バタフライ式の弁体で形成することも可能である。
【００４２】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…弁箱、１１…上部部品、１１ａ…筒部、１１ｂ…フランジ、１１ｃ…軸支筒部、１１ｄ…固定片、１２…下部部品、１３ａ…弁座、１３ｂ…弁座、２０…弁体、３０…ウォームホイル軸、３１…ギア溝、４０…ギアボックス、４１…ウォーム軸、４２…蓋体、５０…キャップ、５１…鍔、５２…四角柱、６１…針、６１ａ…針先、６２…目盛板、６２ａ…縁、１６１…目盛り針、１６１ａ…針先、１６１ｂ…基部、１６１ｃ…針部、１６２…目盛板、１６２ｂ…スリット、２６１…円筒体、３６１…開度表示回転体。
【図１】
2018017358.tif 000003
【図２】
2018017358.tif 000004
【図３】
2018017358.tif 000005
【図４】
2018017358.tif 000006
【図５】
2018017358.tif 000007
【図６】
2018017358.tif 000008
【図７】
2018017358.tif 000009
【図８】
2018017358.tif 000010
【図９】
2018017358.tif 000011
【図１０】
2018017358.tif 000012
【図１１】
2018017358.tif 000013
【図１２】
2018017358.tif 000014
【図１３】
2018017358.tif 000015
【図１４】
2018017358.tif 000016
【図１５】
2018017358.tif 000017
【図１６】
2018017358.tif 000018
【図１７】
2018017358.tif 000019
【図１８】
2018017358.tif 000020